(57)【要約】【課題】組立効率の低下を抑制し、低コストで、かつ、所望の静電気放電性能を得ることができるキーヘッドカバーを提供する。【解決手段】  錠前の鍵穴にブレード部２１を差し込んで施解錠を行う機械的キー１１のキーヘッド部２２を着脱可能に保持するケース部材３１と、ケース部材３１に設けられ、所定の入力情報に基づき錠前の施解錠信号を送信する電気部品３２と、を備え、ケース部材３１に形成された間隙、またはケース部材３１に設けられた導電性材料で形成されたキーリング３３と、キーヘッド部２２とを導通させるように導電性塗料が塗布されている。【選択図】図４
2014066052.tif 000002
【特許請求の範囲】
【請求項１】
錠前の鍵穴にブレード部を差し込んで施解錠を行う機械的キーのキーヘッド部を着脱可能に保持するケース部材と、
前記ケース部材に設けられ、所定の入力情報に基づき前記錠前の施解錠信号を送信する電気部品と、を備え、
前記ケース部材に形成された間隙および前記ケース部材に設けられ導電性材料で形成されたキーリングの少なくともいずれか一方と、前記キーヘッド部とを導通させるように導電性塗料が塗布されていることを特徴とするキーヘッドカバー。
【請求項２】
前記キーヘッド部に当接して前記キーヘッド部を押えるキー押え部材を更に備え、
前記導電性塗料は、前記キー押え部材に塗布されていることを特徴とする請求項１に記載のキーヘッドカバー。
【請求項３】
前記キー押え部材は、
前記キーヘッド部に当接する一対のキー当接部と、
前記ケース部材に形成された間隙および前記キーリングの少なくともいずれか一方の近傍に配設され、前記ケース部材の内面に当接する一対のケース当接部と、
前記各キー当接部と前記各ケース当接部とを接続する一対の段差部と、を有し、
前記導電性塗料は、前記一対のケース当接部に塗布されていることを特徴とする請求項２に記載のキーヘッドカバー。
【請求項４】
前記キーヘッド部と前記電気部品との間に介設される絶縁部材を更に備え、
前記導電性塗料は、前記絶縁部材に塗布されていることを特徴とする請求項１に記載のキーヘッドカバー。
【請求項５】
前記導電性塗料は、前記ケース部材の内面に塗布されていることを特徴とする請求項１に記載のキーヘッドカバー。
【請求項６】
前記ケース部材は、前記のキーヘッド部を挟み込んで保持する第１のケースおよび第２のケースを有し、
前記電気部品は、前記入力情報を入力するための入力部を有し、
前記第１のケースおよび前記第２のケースの少なくともいずれか一方には、前記入力部を外部に露出するための開口部が形成されており、
前記ケース部材に形成された間隙は、前記第１のケースと前記第２のケースとの接合部に生じる間隙および前記入力部と前記開口部との間に生じる間隙の少なくともいずれか一方であることを特徴とする請求項１ないし５のいずれかに記載のキーヘッドカバー。
【発明の詳細な説明】
【技術分野】
【０００１】
本発明は、錠前の鍵穴にブレード部を差し込んで施錠および解錠する機械的キーのキーヘッド部を着脱自在に保持すると共に、所定の電波を発信する電気部品を内蔵するキーヘッドカバーに関する。
【背景技術】
【０００２】
従来、キー部材（機械的キー）の基部（キーヘッド部）が予め埋め込まれたアッパーケースとロアケースとからなるケースと、ケース内に収納されるＩＤコード発生回路と、アッパーケース内に静電気放電用のアース端子と、を備えた電子符号錠用キー（キーヘッドカバー）が知られている（例えば、特許文献１参照）。このアース端子は、アッパーケースの内部を前後方向に延びる延長部と、この延長部の前端からキー部材の基部に接触（近接）する先端片部と、延長部の後端からアッパーケースの後端内壁面に沿って幅方向に延びる尾翼片部と、から構成されている。使用者の衣服等から発生した静電気がアッパーケースとロアケースとの接合面からケース内部に侵入した場合、この静電気はアース端子に誘引されキー部材に導かれて放電される。これにより、静電気に起因したＩＤコード発生回路の損壊を防止できるようになっている。
【先行技術文献】
【特許文献】
【０００３】
【特許文献１】特許第４１６９９０１号公報
【発明の概要】
【発明が解決しようとする課題】
【０００４】
上記した従来のキーヘッドカバーでは、機械的キー（のキーヘッド部）の位置に適合するようにアース端子が所定形状に形成されていた。このため、例えば、キーヘッドカバーに対して機械的キーを着脱可能に構成した場合、装着する機械的キーのキーヘッド部の形状によっては、アース端子の形状を変更（設計変更）しなければならない虞があった。また、このようなキーヘッドカバーでは、組立の際にアース端子を正確な位置に取り付けなければならず、キーヘッドカバーの組立容易性（組立効率）が損なわれていた。アース端子の形状変更にかかるコストや組立効率の悪さは、キーヘッドカバーの製造コストの増加に直結するという問題があった。
【０００５】
さらに、キーヘッドカバーの組立の際に、アース端子の取付不良（導電不良）があった場合、所望の静電気放電性能が得られないという問題もあった。
【０００６】
本発明は、組立効率の低下を抑制し、低コストで、かつ、所望の静電気放電性能を得ることができるキーヘッドカバーを提供することを目的とする。
【課題を解決するための手段】
【０００７】
本発明のキーヘッドカバーは、錠前の鍵穴にブレード部を差し込んで施解錠を行う機械的キーのキーヘッド部を着脱可能に保持するケース部材と、前記ケース部材に設けられ、所定の入力情報に基づき前記錠前の施解錠信号を送信する電気部品と、を備え、前記ケース部材に形成された間隙および前記ケース部材に設けられ導電性材料で形成されたキーリングの少なくともいずれか一方と、前記キーヘッド部とを導通させるように導電性塗料が塗布されていることを特徴とする。
【０００８】
この構成によれば、ケース部材の間隙またはキーリングを介してケース部材の外側から内側に流れた静電気は、塗布された導電性塗料を通ってキーヘッド部に導かれて放電される。これにより、例えば、保持可能な最も小さなキーヘッド部に対応するように導電性塗料を塗布しておくことによって、保持すべき機械的キーが変更され、キーヘッド部の形状（大きさ）が変わった場合であっても、設計変更することなく導通（電気的な接続）を維持することができる。また、キーヘッドカバーの組立時には、静電気放電のための構成を省略することができる。このため、容易に組み立てることができると共に、導電不良を適切に防止することができる。以上により、組立効率の向上および低コスト化を図ることができると共に、所望の静電気放電性能を担保し、静電気による電気部品の損壊を防止することができる。
【０００９】
この場合、前記キーヘッド部に当接して前記キーヘッド部を押えるキー押え部材を更に備え、前記導電性塗料は、前記キー押え部材に塗布されていることが好ましい。
【００１０】
この構成によれば、キー押え部材は、キーヘッド部を強固に保持すると共に、塗布された導電性塗料を介して静電気をキーヘッド部に導く。これにより、ケース部材内においてキーヘッド部（機械的キー）の位置ずれが防止され、ケース部材の間隙または／およびキーリングと、キーヘッド部との電気的な接続状態を的確に維持することができる。
【００１１】
この場合、前記キー押え部材は、前記キーヘッド部に当接する一対のキー当接部と、前記ケース部材に形成された間隙および前記キーリングの少なくともいずれか一方の近傍に配設され、前記ケース部材の内面に当接する一対のケース当接部と、前記各キー当接部と前記各ケース当接部とを接続する一対の段差部と、を有し、前記導電性塗料は、前記一対のケース当接部に塗布されていることが好ましい。
【００１２】
この構成によれば、各キー当接部同士または／および各ケース当接部同士の間に電気部品を配設することができる。すなわち、電気部品を避けるようにして、静電気の導電経路が設けられる。これにより、静電気による電気部品の損壊を、より的確に防止することができる。
【００１３】
他の場合、前記キーヘッド部と前記電気部品との間に介設される絶縁部材を更に備え、前記導電性塗料は、前記絶縁部材に塗布されていることが好ましい。
【００１４】
この構成によれば、絶縁部材は、電気部品とキーヘッド部とを電気的に絶縁すると共に、塗布された導電性塗料を介して静電気をキーヘッド部に導く。これにより、静電気による電気部品の損壊を適切に防止することができる。
【００１５】
また、他の場合、前記導電性塗料は、前記ケース部材の内面に塗布されていることが好ましい。
【００１６】
この構成によれば、静電気放電のための部材（構成）を追加することなく、適切に静電気を放電することができる。これにより、キーヘッドカバーの組立効率を向上させることができ、かつ、更にコストを削減することができる。
【００１７】
この場合、前記ケース部材は、前記のキーヘッド部を挟み込んで保持する第１のケースおよび第２のケースを有し、前記電気部品は、前記入力情報を入力するための入力部を有し、前記第１のケースおよび前記第２のケースの少なくともいずれか一方には、前記入力部を外部に露出するための開口部が形成されており、前記ケース部材に形成された間隙は、前記第１のケースと前記第２のケースとの接合部に生じる間隙および前記入力部と前記開口部との間に生じる間隙の少なくともいずれか一方であることが好ましい。
【００１８】
この構成によれば、静電気は、第１のケースと第２のケースとの接合部や入力部と開口部との間に生じる間隙等からケース部材の内部に侵入し、塗布された導電性塗料を通ってキーヘッド部から放電される。これにより、静電気による電気部品の損壊を防止することができる。
【発明の効果】
【００１９】
本発明によれば、組立効率の低下が抑制され、低コストで、かつ、所望の静電気放電性能が担保されたキーヘッドカバーを得ることができる。
【図面の簡単な説明】
【００２０】
【図１】本発明の第１実施形態に係るキー装置の平面図である。
【図２】本発明の第１実施形態に係るキーヘッドカバーの上ケースの内面を示す下面図である。
【図３】本発明の第１実施形態に係るキーヘッドカバーの下ケースの内面を示す平面図である。
【図４】図１におけるＡ−Ａ断面図である。
【図５】本発明の第１実施形態に係るキーヘッドカバーのキー押え部材の斜視図である。
【図６】本発明の第２実施形態に係るキーヘッドカバーの下ケースの内面を示す平面図である。
【図７】本発明の第３実施形態に係るキーヘッドカバーの下ケースの内面を示す平面図である。
【発明を実施するための形態】
【００２１】
＜第１実施形態＞
以下、図面を参照しつつ、本発明の第１実施形態に係るキーヘッドカバー１２ついて説明する。図１は、第１実施形態に係るキー装置１の平面図である。図２は、第１実施形態に係るキーヘッドカバー１２の上ケース４１の内面を示す下面図である。図３は、第１実施形態に係るキーヘッドカバー１２の下ケース４２の内面を示す平面図である。図４は、図１におけるＡ−Ａ断面図である。図５は、第１実施形態に係るキーヘッドカバー１２のキー押え部材３５の斜視図である。なお、機械的キー１１のブレード部２１側を先端（図１ないし図４において下側）とし、キーリング３３側を基端（図１ないし図４において上側）とする。また、先端と基端とを結ぶ方向（前後方向ともいう。）に直交する方向（図１ないし図３において左右）を幅方向とする。
【００２２】
図１に示すように、キー装置１は、錠前の鍵穴にブレード部２１を差し込んで施解錠を行う機械的キー１１と、機械的キー１１のキーヘッド部２２を着脱可能に保持するキーヘッドカバー１２と、を備えている。キー装置１は、ドア等の錠前を無線で遠隔操作により施解錠を行う電気的キーとしての機能と、錠前の鍵穴に差し込んで施解錠を行う物理的な機械的キー１１と、を有している。
【００２３】
機械的キー１１は、ロータリーシリンダ錠、ディスクシリンダ錠、ピンシリンダ錠またはマグネチックタンブラシリンダ錠等の錠前の鍵穴に差し込んで、錠前の施解錠を行うものである。機械的キー１１は、錠前の鍵穴に差し込まれるブレード部２１と、ブレード部２１の基端部に連なって設けられたキーヘッド部２２と、を有している。キーヘッド部２２は、一般的に、錠前の施解錠のために鍵穴にブレード部２１を差し込む際に、使用者が把持する部分である。キーヘッド部２２には、後述する下ケース４２のネジ孔突部４８が嵌合する固定孔２３（図３参照）が、貫通形成されている。上記したように、機械的キー１１は、キーヘッド部２２がキーヘッドカバー１２に保持され、ブレード部２１がキーヘッドカバー１２の先端部から、先端方向に露出している（正確にはキーヘッド部２２の先端側の一部も露出する。）。
【００２４】
図１ないし図４に示すように、キーヘッドカバー１２は、機械的キー１１のキーヘッド部２２を着脱可能に保持するケース部材３１と、ケース部材３１に設けられ、所定の入力情報に基づき錠前の施解錠信号を送信する電気部品３２と、を備えている。上記した電気的キーとしての機能は、電気部品３２により実現される。また、キーヘッドカバー１２は、ケース部材３１の基端部に設けられたキーリング３３と、電気部品３２のキーヘッド部２２側に設けられた絶縁部材３４と、絶縁部材３４とキーヘッド部２２との間に介設され、キーヘッド部２２に当接するキー押え部材３５と、を備えている。
【００２５】
図２ないし図４に示すように、ケース部材３１は、それぞれトレイ状に形成された上ケース４１と下ケース４２とを有し、上下２つに分割することができるように構成されている。上ケース４１および下ケース４２は、硬質の樹脂材料等で形成されている。上ケース４１と下ケース４２とは、キーヘッド部２２を上下から挟み込んで保持する。なお、上ケース４１および下ケース４２は、第１のケースおよび第２のケースの具体例である。
【００２６】
図２および図４に示すように、上ケース４１は、略角丸長方形状の上底部４１ａと、上底部４１ａの外周端部から立設した上側壁部４１ｂと、でトレイ状に形成されている。上底部４１ａの先端側、幅方向略中央には、固定ネジ１３が挿通するネジ貫通孔４３が形成されている。また、図２において右側かつ基端側には、電気部品３２に設けられた押しボタン５２（後述する。）が挿通する上側ボタン開口部４４が、上側壁部４１ｂの一部を切り欠くようにして形成されている。また、上底部４１ａの内面には、電気部品３２を位置決めして固定する４つの装着部４５が設けられている。電気部品３２を各装着部４５に装着した状態で、押しボタン５２の先端が上側ボタン開口部４４から外部に露出するようになっている。
【００２７】
上側壁部４１ｂの基端側には、キーリング３３を固定することができるように基端側切欠き部４６が切り欠かれて形成されている。基端側切欠き部４６の近傍、幅方向両端には、キーリング３３に形成された一対の位置決め孔５４に嵌合する一対の位置決め突起４７が、上底部４１ａの内面から立設している。
【００２８】
上側壁部４１ｂの前後方向略中央、幅方向両端には、下ケース４２の係合突起４２ｃ（後述する。）に係合する一対の係合爪４１ｃが設けられている。また、基端側切欠き部４６の近傍、幅方向略中央にも、同様に係合爪４１ｃが設けられている。つまり、下ケース４２の内面において、３つの係合爪４１ｃが設けられている。なお、図４では、各係合爪４１ｃの図示を省略している。
【００２９】
次に、図３および図４に示すように、下ケース４２は、略角丸長方形状の下底部４２ａと、下底部４２ａの外周端部から立設した下側壁部４２ｂと、でトレイ状に形成されている。下底部４２ａの内面には、上底部４１ａに形成されたネジ貫通孔４３を貫通した固定ネジ１３が螺合するネジ孔突部４８が突設されている。また、図３において左側かつ基端側には、電気部品３２の押しボタン５２が挿通する下側ボタン開口部４９が、下側壁部４２ｂの一部を切り欠くようにして形成されている。この下側ボタン開口部４９は、上ケース４１と下ケース４２とを接合したときに、上記の上側ボタン開口部４４と一体となって、押しボタン５２が挿通する１つの開口を形成する。
【００３０】
下側壁部４２ｂの先端側には、機械的キー１１のブレード部２１を固定することができるように先端側切欠き部５０が切り欠かれて形成されている。キーヘッド部２２に貫通形成された固定孔２３にネジ孔突部４８を嵌合させた状態で、キーヘッド部２２の先端側の一部とブレード部２１とが先端側切欠き部５０から下ケース４２（ケース部材３１）の外部に露出する。
【００３１】
下側壁部４２ｂには、上ケース４１に設けられた３つの係合爪４１ｃに対応する位置に、それぞれ係合突起４２ｃが設けられている。各係合突起４２ｃは、上ケース４１と下ケース４２とを接合した時に、弾性変形して、対応する係合爪４１ｃと係合する。なお、図４では、各係合突起４２ｃの図示を省略している。
【００３２】
図１および図２に示すように、電気部品３２は、電源としての電池、発振器としてのトランスミッター（送信機）やアンテナ等を含む電気部品本体５１と、電気部品本体５１に対し入力情報を入力するための入力部としての押しボタン５２と、を有している。使用者は、所定の入力情報として押しボタン５２を押すと、錠前の施解錠信号が電気部品本体５１から送信される。すなわち、電気的キーの機能による錠前の施解錠操作は、使用者が錠前の制御器（図示せず。）の近傍で押しボタン５２を押すことによって行われる。
【００３３】
キーリング３３は、金属等の導電性材料で形成されており、使用者がキーホルダやストラップ等を通して使用する通し孔５３が貫通形成されている。また、キーリング３３の基端側には、上ケース４１に立設した一対の位置決め突起４７に嵌合する一対の位置決め孔５４が貫通形成されている。
【００３４】
絶縁部材３４は、電気部品３２と他の部材との間を電気的に絶縁すると共に、ケース部材３１の外部から水や埃が侵入することを抑制するために設けられている。図３および図４に示すように、絶縁部材３４は、ゴムや絶縁性の樹脂材料等で可撓性を有する薄い板状に形成されている。絶縁部材３４は、キーヘッド部２２と後述するキー押え部材３５とを覆うように設けられている。すなわち、上ケース４１と下ケース４２とを接合した状態で、絶縁部材３４は、電気部品３２とキー押え部材３５との間に介設されている。
【００３５】
キー押え部材３５は、絶縁性の樹脂材料等で形成され、下ケース４２側にキーヘッド部２２を押え付けて、キーヘッドカバー１２に対する機械的キー１１の保持力補助および姿勢維持のために設けられている。具体的には、図３ないし図５に示すように、キー押え部材３５は、キーヘッド部２２に当接する一対のキー当接部５５と、下ケース４２の下底部４２ａの内面に当接する一対のケース当接部５６と、各キー当接部５５の基端部と各ケース当接部５６の先端部とを接続する一対の段差部５７と、各キー当接部５５の先端部同士を連結する連結部５８と、を有している。
【００３６】
一対のキー当接部５５は、キーヘッド部２２の幅方向両端部を押えるように前後方向に延設されている。なお、各キー当接部５５は、その先端部が、ケース部材３１の先端から露出しないような長さに形成されている。一対のケース当接部５６は、下底部４２ａの幅方向両端部、すなわち下側壁部４２ｂに沿って前後方向に延設されている。各ケース当接部５６の基端部は、キーリング３３の先端部の近傍に臨んでいる。一対の段差部５７は、キーヘッド部２２の基端面に当接し、各キー当接部５５と各ケース当接部５６とを接続する。すなわち、各段差部５７は、キーヘッド部２２の厚みと略同一の長さに形成されている。キー押え部材３５は、連結部５８が各キー当接部５５同士を連結することで、平面から見て、略Ｕ字型に一体形成されている。なお、例えば、各キー当接部５５、各ケース当接部５６、各段差部５７および連結部５８は、同じ幅、同じ厚みに形成されている。
【００３７】
ここで、キーヘッドカバー１２の組み立てについて簡単に説明する。まず、組立作業者は、キーリング３３を上ケース４１の基端側切欠き部４６に臨ませ、一対の位置決め突起４７をキーリング３３の一対の位置決め孔５４に嵌合させる。そして、電気部品３２の押しボタン５２を上側ボタン開口部４４に向けて、電気部品３２を各装着部４５に固定する。次に、組立作業者は、機械的キー１１のキーヘッド部２２を下ケース４２の先端側切欠き部５０に臨ませ、ネジ孔突部４８をキーヘッド部２２の固定孔２３に嵌合させる。そして、組立作業者は、キー押え部材３５の一対の段差部５７をキーヘッド部２２の基端面に当接させるように配設した後、キー押え部材３５の上に絶縁部材３４を敷設する。
【００３８】
次に、組立作業者は、上側壁部４１ｂと下側壁部４２ｂとを接触させるように上ケース４１と下ケース４２とを接合する。この際、各係合突起４２ｃと各係合爪４１ｃとがそれぞれ係合するように上ケース４１と下ケース４２とを位置合わせする。上ケース４１と下ケース４２とが接合した状態で、押しボタン５２は、上側ボタン開口部４４と下側ボタン開口部４９と（以降、単に「開口部４０」という。）を貫通し、保持される。そして、上底部４１ａのネジ貫通孔４３を貫通させた固定ネジ１３を、上底部４１ａのネジ孔突部４８に螺合させる。これにより、キーヘッドカバー１２が組み立てられる。この状態で、機械的キー１１のキーヘッド部２２は、キー押え部材３５（各キー当接部５５および連結部５８）を介して、上ケース４１と下ケース４２とに挟持される（図４参照）。なお、固定ネジ１３の先端部は、絶縁部材３４を突き破ってネジ孔突部４８に螺合する。
【００３９】
このような、キーヘッドカバー１２は、その構造上、上ケース４１と下ケース４２との接合部や、押しボタン５２と開口部４０との間に間隙が生じる。例えば、キー装置１（キーヘッドカバー１２）の使用者に静電気が発生した場合、当該静電気は、キーヘッドカバー１２の構造上生じた間隙を通して、キーヘッドカバー１２内に侵入する。また、金属製のキーリング３３を通して、静電気がキーヘッドカバー１２内に侵入する場合もある。侵入した静電気は、キーヘッドカバー１２（ケース部材３１）に内蔵された電気部品３２を破壊してしまう虞がある。
【００４０】
そこで、第１実施形態に係るキーヘッドカバー１２では、キーヘッドカバー１２内に侵入した静電気を、キーヘッド部２２（機械的キー１１）に導くための導電経路６０が形成されている。第１実施形態に係るキーヘッドカバー１２は、導電経路６０を介して侵入した静電気を適切に外部に放電することで電気部品３２を保護することができるように構成されている。
【００４１】
具体的には、図４および図５に示すように、第１実施形態に係るキーヘッドカバー１２では、キー押え部材３５の下ケース４２側（キーヘッド部２２側）の面に、導電性塗料が塗布されている。詳細には、導電性塗料は、一対のケース当接部５６の下ケース４２（下底部４２ａ）との当接面に塗布されている。一対のケース当接部５６の当接面（下面）に塗布された導電性塗料は、乾燥して塗膜を形成する。この塗膜が、キーヘッドカバー１２（ケース部材３１）内に侵入した静電気の通り道となる導電経路６０を形成する。なお、導電性塗料とは、導電材料として金属粉やカーボン等を混ぜ合わせ、電気（静電気）を通す塗料である。また、導電性塗料には、例えば、金属酸化物、カーボンブラック等の帯電防止剤および任意の接着剤（例えば、アクリル樹脂系、ビニル樹脂系、エポキシ樹脂系等）が混合されている。
【００４２】
上記したように、キー押え部材３５の各ケース当接部５６は、下側壁部４２ｂに沿って前後方向に延設されている。すなわち、一対のケース当接部５６は、上ケース４１と下ケース４２との接合部の近傍に配設されている。また、一方のケース当接部５６は、開口部４０に臨む押しボタン５２の近傍に配設されている。さらに、一対のケース当接部５６の基端部は、キーリング３３の先端部の近傍に臨んでいる。このため、上ケース４１と下ケース４２との接合部および押しボタン５２と開口部４０との間にそれぞれ生じた間隙（ケース部材３１に形成された間隙）の周辺部分と、各ケース当接部５６の当接面に形成された導電経路６０とは電気的に接続された状態となる。同様に、キーリング３３と各ケース当接部５６の当接面に形成された導電経路６０とは電気的に接続された状態となる。
【００４３】
また、上記したように、一対のケース当接部５６の先端部は、キーヘッド部２２の基端面に当接した各段差部５７に接続されている。このため、一対のケース当接部５６の当接面に形成された導電経路６０とキーヘッド部２２とは、電気的に接続された状態となる。
【００４４】
したがって、上ケース４１と下ケース４２との接合部および押しボタン５２と開口部４０との間にそれぞれ生じた間隙（ケース部材３１に形成された間隙）からケース部材３１の内部に侵入した静電気は、各ケース当接部５６の当接面（下面）に形成された導電経路６０を通り、キーヘッド部２２に導かれて放電される。同様に、キーリング３３を介してケース部材３１の内部に侵入した静電気は、各ケース当接部５６の当接面（下面）に形成された導電経路６０を通り、キーヘッド部２２に導かれて放電される。
【００４５】
第１実施形態によれば、静電気放電用の通路である導電経路６０が導電性塗料をキー押え部材３５に塗布することによって形成されている。これにより、例えば、保持すべき機械的キー１１が変更され、キーヘッド部２２の形状や大きさが変わった場合であっても、設計変更することなくキーヘッド部２２の適切な保持と、上記した電気的な接続状態とを維持することができる。また、キーヘッド部２２を押えるキー押え部材３５は、静電気を逃がすための部材を兼ねている。すなわち、キーヘッドカバー１２の組立時には、静電気放電のための構成を別途用意する必要がない。このため、キーヘッドカバー１２の組立作業を容易に行うことができると共に、導電不良を適切に防止することができる。以上により、キーヘッドカバー１２の組立効率の向上および低コスト化を図ることができる。また、所望の静電気放電性能を担保し、静電気による電気部品３２の損壊を防止することができる。
【００４６】
また、第１実施形態によれば、キー押え部材３５は、キーヘッド部２２を強固に保持すると共に、下ケース４２側（キーヘッド部２２側）の面（当接面）に塗布された導電性塗料を介して静電気をキーヘッド部２２に導く。これにより、ケース部材３１内においてキーヘッド部２２（機械的キー１１）の位置ずれが防止され、ケース部材３１の間隙または／およびキーリング３３と、キーヘッド部２２との電気的な接続状態を的確に維持することができる。
【００４７】
さらに、第１実施形態によれば、電気部品３２を、各ケース当接部５６同士の間に配設することができる。すなわち、電気部品３２を避けるようにして、静電気の導電経路６０が設けられる。これにより、静電気による電気部品３２の損壊を、より的確に防止することができる。なお、電気部品３２は、各キー当接部５５同士の間に配設してもよいし、各キー当接部５５同士および各ケース当接部５６同士の間に配設してもよい。
【００４８】
なお、第１実施形態では、ケース部材３１に形成された間隙およびキーリング３３と、キーヘッド部２２とを導通させるように導電性塗料を塗布（導電経路６０を形成）していたが、これに限定されるものではなく、当該間隙およびキーリング３３の少なくともいずれか一方と、キーヘッド部２２とを導通させるように導電性塗料が塗布されていればよい。
【００４９】
なお、第１実施形態では、一対のケース当接部５６に導電性塗料が塗布されていたが、例えば、一対のケース当接部５６と一対の段差部５７に塗布されていてもよいし、これに加えて一対のキー当接部５５にも塗布されていてもよい。また、さらに連結部５８にも塗布されていてもよい。また、一対のケース当接部５６の当接面（下面）全体に導電性塗料を塗布する必要はなく、当該下面の一部に導電性塗料が塗布されていてもよい。すなわち、静電気の適切な放電を担保できるように、少なくとも一対のケース当接部５６に塗布されていればよい。したがって、静電気を放電するための電気的な接続が可能なのであれば、キー押え部材３５（各ケース当接部５６等）の上面（下ケース４１側の面）に導電性塗料が塗布されていても構わない。
【００５０】
なお、一対のケース当接部５６は、キーリング３３に直接接触するように設けてもよい。すなわち、静電気の侵入部分と導電経路６０とは、電気的な接続が確保可能な距離に離間していてもよいし、直接接続されていてもよい。なお、キーヘッド部２２と導電経路６０との電気的接続も同様である。
【００５１】
なお、開口部４０の形成位置は任意であり、例えば、上ケース４１または下ケース４２にのみ形成されていてもよい。
【００５２】
なお、上記の第１実施形態では、電気部品３２にトランスミッタを用いたが、これに代えて、トランスポンダを用いてもよい。この場合、押しボタン５２および開口部４０を省略することができる。また、この場合、電気的キーの機能による錠前の施解錠操作は、使用者が錠前の制御器（図示せず。）にキーヘッドカバー１２（電気部品３２）を近接させることによって行われる。また、ケース部材３１内部において、電気部品３２と絶縁部材３４との間に隙間ができるようであれば、電気部品３２の底面を当接保持するための突条部を下ケース４２（下底部４２ａ）に適宜設けてもよい。
【００５３】
＜第２実施形態＞
次に、図６を参照し、本発明の第２実施形態に係るキーヘッドカバー１２ついて説明する。図６は、第２実施形態に係るキーヘッドカバー１２の下ケース４２の内面を示す平面図である。なお、上記の第１実施形態と同様の構成については、同一の符号を付し、説明を省略する。
【００５４】
第２実施形態に係るキーヘッドカバー１２は、第１実施形態で説明したキー押え部材３５を省略して、絶縁部材３４の下面に導電性塗料を塗布している。具体的には、絶縁部材３４の下ケース４２側（キーヘッド部２２側）の面に、導電性塗料が塗布されている。詳細には、絶縁部材３４の下面において、上ケース４１と下ケース４２との接合部および押しボタン５２と開口部４０との間にそれぞれ生じた間隙（ケース部材３１に形成された間隙）の近傍位置から、キーヘッド部２２の基端面を結ぶように導電性塗料が塗布されている。また、絶縁部材３４の下面において、キーリング３３の先端部の近傍位置から、キーヘッド部２２の基端面を結ぶように導電性塗料が塗布されている。すなわち、静電気の侵入部分とキーヘッド部２２とは、絶縁部材３４の下面において、導電性塗料の塗膜で帯状に形成された導電経路６０によって電気的に接続されている。なお、電気部品本体５１からの施解錠信号の送信に悪影響をもたらす虞があるため、導電性塗料は、絶縁部材３４の下面全体に塗布せずに、上記のように部分的（帯状）に塗布することが好ましい。
【００５５】
第２実施形態によれば、第１実施形態に係るキーヘッドカバー１２と同様の作用効果を得ることができる。また、第２実施形態によれば、例えば、保持可能な最も小さなキーヘッド部２２に対応するように導電性塗料を塗布しておくことによって、保持すべき機械的キー１１が変更され、変更前より変更後の機械的キー１１のキーヘッド部２２が小さく（または大きく）なったとしても、設計変更することなく導電経路６０の電気的な接続を維持することができる。なお、例えば、キーヘッド部２２の固定孔２３の位置が変更されたとしても同様である。つまり、保持すべき機械的キー１１が変更にも柔軟に対応することができる。
【００５６】
また、第２実施形態によれば、絶縁部材３４は、電気部品３２とキーヘッド部２２とを電気的に絶縁すると共に、下ケース４２側（キーヘッド部２２側）の面に塗布された導電性塗料を介して静電気をキーヘッド部２２に導く。これにより、静電気による電気部品３２の損壊を適切に防止することができる。さらに、静電気を放電するための構造を簡素化することができ、さらに低コスト化を図ることができる。
【００５７】
なお、上記の第２実施形態では、導電経路６０の先端部は、キーヘッド部２２の基端部に接触しているが、導電経路６０とキーヘッド部２２との電気的接続を確保できる範囲に離間させてもよい。また、なお、導電経路６０（導電性塗料の塗布）は、絶縁部材３４の下面において、キーヘッド部２２上を覆う部分（キーヘッド部２２に当接する部分）にまで延びて形成されていてもよい。また、図示は省略するが、上ケース４１と下ケース４２とを接合した時に、絶縁部材３４上からキーヘッド部２２を押圧するように、突条部を上ケース４１（上底部４１ａ）に適宜設けてもよい。
【００５８】
＜第３実施形態＞
次に、図７を参照し、本発明の第３実施形態に係るキーヘッドカバー１２ついて説明する。図７は、第３実施形態に係るキーヘッドカバー１２の下ケース４２の内面を示す平面図である。なお、上記の第１実施形態と同様の構成については、同一の符号を付し、説明を省略する。
【００５９】
第３実施形態に係るキーヘッドカバー１２は、第１実施形態で説明したキー押え部材３５および絶縁部材３４を省略して、下ケース４２（下底部４２ａ）の内面に導電性塗料を塗布している。詳細には、下底部４２ａ（の内面）において、上ケース４１と下ケース４２との接合部および押しボタン５２と開口部４０との間にそれぞれ生じた間隙（ケース部材３１に形成された間隙）の近傍位置から、キーヘッド部２２の近傍位置を結ぶように導電性塗料が塗布されている。また、下底部４２ａ（の内面）において、キーリング３３の先端部の近傍位置から、キーヘッド部２２の近傍位置を結ぶように導電性塗料が塗布されている。すなわち、静電気の侵入部分とキーヘッド部２２とは、下底部４２ａ（の内面）において、導電性塗料の塗膜で帯状に形成された導電経路６０によって電気的に接続されている。なお、第２実施形態に係るものと同様の理由で、導電性塗料は、下底部４２ａの内面全体に塗布せずに、部分的（帯状）に塗布することが好ましい。
【００６０】
第３実施形態によれば、第１および第２実施形態に係るキーヘッドカバー１２と同様の作用効果を得ることができる。また、第３実施形態によれば、静電気放電のための部材（構成）を追加することなく、簡素な構成で適切に静電気を放電することができる。これにより、キーヘッドカバー１２の組立効率を向上させることができ、かつ、更にコストを削減することができる。
【００６１】
なお、上記の第３実施形態では、導電経路６０の先端部は、キーヘッド部２２の基端部に接触しているが、導電経路６０とキーヘッド部２２との電気的接続を確保できる範囲に離間させてもよい。また、なお、導電経路６０（導電性塗料の塗布）は、キーヘッド部２２の下面（キーヘッド部２２が当接している面）にまで延びて形成されていてもよい。また、図示は省略するが、上ケース４１と下ケース４２とを接合した時に、キーヘッド部２２を押圧するように、突条部を上ケース４１（上底部４１ａ）に適宜設けてもよい。
【００６２】
なお、上記した本発明の各実施形態の説明は、本発明に係るキーヘッドカバーにおける好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００６３】
１１  機械的キー
１２  キーヘッドカバー
２１  ブレード部
２２  キーヘッド部
３１  ケース部材
３２  電気部品
３３  キーリング
３４  絶縁部材
３５  キー押え部材
４０  開口部
４１  上ケース
４２  下ケース
５２  押しボタン
５５  キー当接部
５６  ケース当接部
５７  段差部
６０  導電経路
【図１】
2014066052.tif 000003
【図２】
2014066052.tif 000004
【図３】
2014066052.tif 000005
【図４】
2014066052.tif 000006
【図５】
2014066052.tif 000007
【図６】
2014066052.tif 000008
【図７】
2014066052.tif 000009